【事件の表示】
　上記当事者間の特許第２９１６７４３号発明「パチンコ機の施錠装置」の特許無効審判事件について、次のとおり審決する。
【結　論】
　訂正を認める。
　本件審判の請求は、成り立たない。
　審判費用は、請求人の負担とする。
【理　由】
第１．手続の経緯
　本件特許第２９１６７４３号発明は、平成６年１月２５日に特願平６−６５０１号として出願され、平成１１年４月２３日に設定登録がなされ、その後、平成１４年１２月３日に株式会社サクラより特許無効審判の請求がなされ、平成１５年３月５日付けで被請求人より訂正請求書が提出され、平成１５年１１月４日付けで訂正が認容されるとともに特許維持の審決がなされ、さらに、平成１６年２月１８日に株式会社サクラより本件無効審判の請求がなされ、平成１６年５月１７日付けで被請求人より訂正請求書が提出されたものである。
　　　　
第２．訂正の適否についての判断
１．訂正の内容（下線部訂正個所）
　平成１６年５月１７日付けの訂正請求の内容は、以下のとおりである。
　i．訂正事項ａ
　明細書の特許請求の範囲の請求項１の記載を、
　「取付板（２）と支持板（３）からなる基枠体（１）の内側に連結杆（６）が摺動可能に配設され、該支持板（３）の上部と下部に鉤部材（４）（５）が連結杆（６）に連結されて傾動可能に枢支され、該取付板（２）の中間部にシリンダ錠（７）がその錠軸を取付板（２）に設けた孔から内側に差込むように固定され、該錠軸の先端にカム板（８）が固定され、前記連結杆（６）には該カム板（８）の係合部（８ａ）と係合する開口部が設けられ、前記基枠体（１）の取付板（２）がパチンコ機の前面枠（２１）に縦に取付けられ、本体枠（２０）側に取付けられた受け金具（２４）（２５）に前記鉤部材（４）（５）が係止されて前面枠（２１）を施錠するパチンコ機の施錠装置において、
　前記支持板（３）の上部と下部
の外側
ブラケット（１１）を介して
該連結杆（１６）（１７）は各々該支持板（３）の上部と下部に設けた開口部を通り、該各々の連結杆（１６）（１７）の一方の片は該支持板（３）の内側に沿い当該他方の片は該支持板（３）の外側に沿って配設され、
と訂正する。
　ii．訂正事項ｂ
　明細書の段落【０００６】の記載を、
　「【課題を解決するための手段】　上記の目的を達成するために、本発明の施錠装置は、取付板（２）と支持板（３）からなる基枠体（１）の内側に連結杆（６）が摺動可能に配設され、該支持板（３）の上部と下部に鉤部材（４）（５）が連結杆（６）に連結されて傾動可能に枢支され、該取付板（２）の中間部にシリンダ錠（７）がその錠軸を取付板（２）に設けた孔から内側に差込むように固定され、錠軸の先端にカム板（８）が固定され、連結杆（６）にはカム板（８）の係合部（８ａ）と係合する開口部が設けられ、基枠体（１）の取付板（２）がパチンコ機の前面枠（２１）に縦に取付けられ、本体枠（２０）側に取付けられた受け金具（２４）（２５）に前記鉤部材（４）（５）が係止されて前面枠（２１）を施錠するパチンコ機の施錠装置において、支持板（３）の上部と下部
の外側
ブラケット（１１）を介して
連結杆（１６）（１７）は各々該支持板（３）の上部と下部に設けた開口部を通り、各々の連結杆（１６）（１７）の一方の片は支持板（３）の内側に沿い当該他方の片は支持板（３）の外側に沿って配設され、
　　
２．訂正の目的の適否、新規事項の有無及び拡張変更の存否
　i．訂正事項ａについて
　訂正事項ａは、ガラス枠施錠用の鉤部材（１４）（１５）が傾動可能に枢支される構成について、「支持板（３）の上部と下部の外側にブラケット（１１）を介して枢支される」構成であることを限定付加するものであるとともに、連結杆（１６）（１７）が支持板（３）に配設される構成について、「連結杆（１６）（１７）は各々該支持板（３）の上部と下部に設けた開口部を通り、該各々の連結杆（１６）（１７）の一方の片は該支持板（３）の内側に沿い当該他方の片は該支持板（３）の外側に沿って配設され」る構成であることを限定付加するものであるから、特許請求の範囲の減縮を目的とするものであり、また、その訂正は、本件特許明細書に記載された事項の範囲内において構成を特定するものであるから新規事項の追加に該当せず、実質上特許請求の範囲を拡張し又は変更するものでもない。
　ii．訂正事項ｂについて
　訂正事項ｂは、本件特許明細書の特許請求の範囲の訂正に整合させて発明の詳細な説明を訂正するものであるから、明りょうでない記載の釈明を目的とするものであり、特許明細書に記載された事項の範囲内において訂正するものであるから新規事項の追加に該当せず、また、実質上特許請求の範囲を拡張し又は変更するものでもない。
　　　
３．むすび
　よって、本件訂正は、平成６年改正法による改正前の特許法第１３４条第２項ただし書き、及び特許法第１３４条第５項において準用する平成６年改正法による改正前の特許法第１２６条第２項の規定に適合する。
　　　　　　
第３．本件発明
　本件特許第２９１６７４３号の請求項１に係る発明（以下、「本件発明」という。）は、訂正が認められるから、本件の訂正明細書及び図面の記載からみて、その特許請求の範囲の請求項１に記載された事項（前記第２．１．i．訂正事項ａ参照）により特定されるものである。
  　　
第４．当事者の求めた審判
１．請求人の主張　
　請求人は、審判請求書において、下記の甲第１号証乃至甲第５号証を提出して、特許第２９１６７４３号の特許を無効とする、審判費用は被請求人の負担とする、との審決を求めることを請求の趣旨とし、本件発明の特許を無効とすべき理由として、本件発明は、甲第１号証乃至甲第５号証に記載された発明に基づいて容易に発明をすることができたものであるから特許法第２９条第２項の規定により特許を受けることができないものであって、特許法１２３条第１項第２号の規定により無効とされるべきである旨主張する。
　甲第１号証：実公平４−１３０３２号公報
　甲第２号証：実公平４−３２１５０号公報
　甲第３号証：実願平２−８９０９０号（実開平４−４７４８４号）
　　　　　　　のマイクロフイルム
　甲第４号証：実公昭６２−２９０１１号公報
　甲第５号証：実願昭６２−１３８３９５号（実開昭６４−４３９８１号）
　　　　　　　のマイクロフイルム
　　　　　　　
２．被請求人の主張
　被請求人は、答弁書において、本件審判の請求は成り立たない、審判費用は請求人の負担とする、との審決を求め、無効審判の請求人が主張する、無効の理由について、本件発明は、請求人の提出した証拠刊行物に基づいて当業者が容易に発明をすることができたものではなく、特許法第２９条第２項に該当しないから、無効とされるものではない旨反論している。
　　　　　　　　　　　　　
第４．当審の判断
１．刊行物に記載の発明
 （１）甲第１号証に記載の発明
　i．請求人が甲第１号証として提出した刊行物である実公平４−１３０３２号公報には、以下の事項が記載されている。
　「遊技盤を固定した基枠が機枠本体に開閉自在に支持され、前記基枠に前面枠が開閉自在に支持されたパチンコ機のロック装置において、前記基枠に固定されたベース板と、このベース板に固着した共通のガイドピンが挿通され、ベース板を挟む両側で移動自在に支持された同じ形状をした第１および第２作動部材と、これらの作動部材を互いに逆向きに付勢する一対の付勢部材と、前記基枠に回動自在に取付けられ、一方が機枠本体に設けた係止部に係合し、他方が前面枠に設けた係止部に係合する同じ形状をした第１および第２フック部材と、第１付勢部材と第１フック部材並びに第２作動部材と第２フック部材とをそれぞれ連結し、作動部材の各々が前記それぞれの付勢部材に抗して解除方向に移動したときに、対応するフック部材をそれぞれの係止部から離脱させる同じ形状をした第１および第２連結レバーと、基枠の前面から挿入されたキーの回転方向に応じ、前記第１および第２作動部材に設けた押圧部を選択的に押圧して作動部材の一方を解除方向に移動させる解除ピンとからなることを特徴とするパチンコ機のロック装置。」（第１頁第１欄第２〜２４行）、
　「本考案を用いたパチンコ機の外観を示す第２図において、基枠１は開口部２に遊技盤（図示省略）が固定された後、機枠本体３に周知の手段により開閉自在に取り付けられる。また、基枠１には前面ガラス４を保持した前面枠５が開閉自在に取り付けられている。この前面枠５は、前面ガラスが嵌め込まれた従来のガラス枠と、景品球を貯留してパチンコ球を一個づつ発射装置まで送る上皿が取り付けられた従来の前板とが一体化されたものとして構成されている。前記基枠１の一側面にはベース板８が固定され、このベース板８にはロック装置１０が取り付けられている。ロック装置１０は、後述するように、機枠本体３に固着された係止金具１１に係合する第１フック１２と、前面枠５に固着された係止金具１４に係合する第２フック１５とを含んでいる。これらの第１、第２フックは、それぞれ一対づつ設けられている。基枠１の前面側に露呈して設けられたキー挿入部１６にキー１８（第１図参照）を挿入し、これを右方向に回動させると（第１図で反時計万向となる）、第２フック１５のそれぞれの先端部が下がり、係止金具１４から係合解除される。これにより、前面枠５が基枠１から開放されるようになる。また、キー１８を左方向に回動させると（第１図では時計方向となる）、第１フック１２のそれぞれの先端部が上がり、係止金具１１から係合解除される。これにより、基枠１が機枠本体３から開放されるようになる。基枠１を閉じるときには、基枠１を機枠本体３に向かって押し込めば、係止金具１１が第１フック１２の下側に形成されたテーパ面を介して第１フック１２を押し上げるので、基枠１を一定量押し込んだ時点で、第１フック１２が係止金具１１と係合する。同様に、前面枠５を基枠１に一定量押し込むことによって、第２フック１５が係止金具１４に係合するので、前面枠５が閉じられることになる。前記ロック装置１０を示す第１図において、基枠１に固着されたベース板８は、前面枠５の開閉方向に沿った立ち上がり面９を備えている。この立ち上がり面９には、裏面側まで貫通して突設された一対のガイドピン２０が設けられている。そして、前記立ち上がり面９の両側には、前記ガイドピン２０が挿通されるスロット２３，２４がそれぞれ形成された作動レバー２５，２６がスライド自在に支持されている。作動レバー２５の両端には連結レバー２８が軸着されている。また、連結レバー２８には、ピン３０によってベース板８に回動自在に軸着された第１フック１２の一端が軸止めされている。同様に、作動レバー２６の両端には連結レバー３２が軸着されている。また、ピン３３によりベース坂８に軸着された第２フック１５の一端は、前記連結レバー３２に軸止めされている。作動レバー２５および作動レバー２６は、それぞれベース板８との間に掛けられたばね３５，３６によって、一方は上方へと付勢され、他方は下方へと付勢されている。作動レバー２５，２６のそれぞれが前記ばね３５，３６によって初期位置にあるときには、図示のように、第１フック１２、第２フック１５のそれぞれはロック位置にあり、係止金具１１，１４と係合している。作動レバー２５には解除片３８、作動レバー２６には解除片３９がそれぞれカシメなどにより固着されている。作動レバー２６の解除片３９の端部は、ベース板８のスリット４０を貫通して、解除片３８の上に位置している。そして、これらの解除片３８，３９の間には、キー１８の操作によって回動される回動板４２に植設された、解除ピン４３が突出している。なお、作動レバー２６には手動解除レバー４５が固着されている。また、符号４６は基枠１に固着された開放ばねを示しており、基枠１に対して前面枠５を閉じたときに蓄勢されて、前面枠５を開き方向に付勢する。」（第２頁第３欄第３３行〜第３頁第５欄第１９行）。
　　　　　
　ii．甲第１号証における前記摘示の記載及び図面第１及び２図によれば、該甲第１号証には、以下の発明（以下、「引用発明」という）が記載されているものと認められる。
　「基枠１に対する固着面部と立ち上がり面部とからなるベース板８の内側に連結レバー２８及び作動レバー２５が摺動可能に配設され、該ベース板８の立ち上がり面部の上部と下部に第１フック１２が連結レバー２８に連結されて傾動可能に枢支され、該ベース板８の固着面部の中間部にキー挿入部１６がそのキー受け入れ軸をベース板８の固着面部に設けた孔から内側に差込むように固定され、該キー受け入れ軸の先端に解除ピン４３を植設した回動板４２が固定され、前記連結レバー２８には該回動板４２に植設した解除ピン４３と係合する解除片３８が固着された作動レバー２５が設けられ、前記ベース板８の固着面部がパチンコ機の基枠１に縦に取付けられ、機枠本体３側に取付けられた係止金具１１に前記第１フック１２が係止されて基枠１を施錠するパチンコ機のロック装置において、
　前記立ち上がり面部の上部と下部の外側に、前面枠施錠用の第２フック１５が傾動可能に枢支され、該ベース板８の外側には該立ち上がり面部に沿って前面枠施錠用の作動レバー２６および連結レバー３２が摺動可能に配設され、前記両第２フック１５が前面枠施錠用の作動レバー２６および連結レバー３２により連結され、該作動レバー２６に固着された解除片３９が前記回動板４２に植設された解除ピン４３と係合可能に形成され、前面枠５の一部に設けた係止金具１４に前面枠施錠用の該第２フック１５が係止されて前面枠５が施錠され、前記キー挿入部１６を基枠１の解錠時と反対方向に回して該解除ピン４３を植設した回動板４２を同方向に回動させ、前面枠施錠用の第２フック１５を傾動させて前面枠５を解錠するように構成したパチンコ機のロック装置。」
　　　　
　（２）甲第２号証に記載の発明
　請求人が甲第２号証として提出した刊行物である実公平４−３２１５０号公報には、以下の事項が記載されている。
　「取付板と支持板により断面Ｌ字形に一体成形された基枠体の内側に連結杆が摺動可能に該支持板に沿つて配設され、該連結杆の両端は前記支持板の両端に枢支した鉤部材に連結され、該取付板の中間部に取付けたシリンダ錠の作動により該連結杆を摺動させて解錠を行なうパチンコ機の施錠装置において、前記シリンダ錠には取付基板が設けられ、該シリンダ錠は、前記取付板に設けた孔に基枠体内側から挿入され、その錠軸を該基枠体内に突出させた状態で、該取付基板を介して該取付板にねじ止めされ、該シリンダ錠の錠軸には突部を有するカム板が軸着され、前記連結杆における該カム板の該突部の対向位置には該突部が回動時に係合する係合孔が穿設され、該カム板の突部は該シリンダ錠の非作動時に、該係合孔の外側に位置し、前記カム板の上方が開放された構造であることを特徴とするパチンコ機の施錠装置。」（第１頁第１欄第２〜１８行）、
　「第１図はパチンコ機の施錠装置の平面図を、第２図は同正面図を、第３図は同背面図を示し、１は取付板１ａと支持板１ｂを断面Ｌ字形に曲折して一体成形された基枠体である。基枠体１の支持板１ｂの両端部にはパチンコ機の前面枠を本体枠に係止し施錠する鉤部材２が軸３によつて、第２図矢印方向へ摺動可能に枢支されている。両側の鉤部材２の下部は連結杆４により連結され、後述するシリンダ錠１５の作動により回動するカム板１７によつて連結杆４が摺動し、両側の鉤部材２を第２図矢印方向に摺動させる構造である。」（第２頁第３欄第４２行〜第４欄第８行）、
　「両端の鉤部材２間に連結される連結杆４は、支持板１ｂにほぼ沿つて配設され、連結杆４のほぼ中央、つまり、後述するカム板１７の第一突部１７ａとの対向位置に係合孔４ａが穿設される。この係合孔４ａには、カム板１７の回動時、その第一突部１７ａが係合し、このカム板１７を第１図反時計回りに回転することにより連結杆４は左方向に摺動する。」（第２頁第４欄第１７〜２４行）、
　「後方に突出した支持板１ｂの略中央部とこれに沿つて配設された連結杆４との間にはガラス枠用作動杆９が配設される。ガラス枠用作動杆９の端部付近上部には、図示しないガラス枠施錠装置の作動片に係合してこれを開錠させる係合片１０が外方に突出して設けられ、この係合片１０は支持板１ｂに設けた長孔１１を貫通して後方に突出する。ガラス枠用作動杆９は、取付板１ａとの間に掛けられたコイルばね２０によつて第１図、第２図の左方向に付勢されるが、このコイルばね２０のばね力に抗して一定の範囲で右方向に摺動することができ、ガラス枠用作動杆９の中央に穿設された係合孔９ａにシリンダ錠１５のカム板１７の第二突部１７ｂが係合し、このカム板１７を時計回りに回転することによりガラス枠用作動杆９は右方向に摺動する。」（第２頁第４欄第４０行〜第３頁第５欄第１１行）、
　「このように構成された施錠装置は、パチンコ機の前面枠の縦桟に第２図左側を上にして立てた状態でその取付板１ａをねじ止めして取付けられ、本体枠側には鉤部材２の受け具が固定される。一方、ガラス枠施錠装置は図示しない前面枠の内面部に取付けられ、ガラス枠に取付けた係止片を施錠装置の溝内に係止して施錠を行ない、ガラス枠用作動杆９の係合片１０の動作により施錠装置の作動片を動かしてその解錠を行なう構造である。」（第３頁第６欄第１〜９行）。
　　　　　　　
３．本件発明と引用発明との対比検討
　（１）本件発明と引用発明との対比
　i．本件発明と引用発明とを対比すると、引用発明における、「機枠本体３」、「基枠１」、「基枠１に対する固着面部と立ち上がり面部とからなるベース板８」、「ベース板８の固着面部」、「ベース板８の立ち上がり面部」、「連結レバー２８及び作動レバー２５」、「係止金具１１」、「第１フック１２」、「キー挿入部１６」、「キー受け入れ軸」、「第２フック１５」、「係止金具１４」、「ロック装置１０」は、それぞれ、本件発明における、「本体枠（２０）」、「前面枠（２１）」、「基枠体（１）」、「取付板（２）」、「支持板（３）」、「連結杆（６）」、「受け金具（２４）（２５）」、「鉤部材（４）（５）」、「シリンダ錠（７）」、「錠軸」、「鉤部材（１４）」、「係止ピン（２６）」、「施錠装置」に相当する。
　また、引用発明における「前面枠５」は「ガラス枠」と「前板」とからなるところ、それぞれが、本件発明における「ガラス枠」と「前パネル」に一致するから、引用発明における「立ち上がり面部の上部と下部に、前面枠施錠用の第２フック１５が傾動可能に枢支され」る構成及び「該ベース板８には該立ち上がり面部に沿って前面枠施錠用の作動レバー２６および連結レバー３２が摺動可能に配設され、前記両第２フック１５が前面枠施錠用の作動レバー２６および連結レバー３２により連結され」る構成は、本件発明における「支持板（３）の上部と下部の外側に、ガラス枠施錠用の鉤部材（１４）（１５）がブラケット（１１）を介して傾動可能に枢支され」る構成及び「該基枠体（１）の内側には該支持板（３）に沿ってガラス枠施錠用の連結杆（１６）（１７）が摺動可能に配設され、該連結杆（１６）（１７）は各々該支持板（３）の上部と下部に設けた開口部を通り、該各々の連結杆（１６）（１７）の一方の片は該支持板（３）の内側に沿い当該他方の片は該支持板（３）の外側に沿って配設され、両鉤部材（１４）（１５）が該連結杆（１６）（１７）により連結され」る構成と対比して、「支持板（３）の上部に、ガラス枠施錠用の鉤部材（１４）が傾動可能に枢支され」る構成及び「該基枠体（１）の内側には該支持板（３）に沿ってガラス枠施錠用の連結杆（１６）（１７）が摺動可能に配設され、鉤部材（１４）が該連結杆（１６）により連結され」る構成において一致する。
　さらに、引用発明における「キー受け入れ軸の先端に固定される回動板４２に植設される解除ピン４３」は、本件発明における「錠軸の先端に固定されるカム板」と対比して、「錠軸の先端に固定される錠軸側係合手段」において一致する。
　ii．そうすると、本件発明と引用発明の両者は、以下の点で一致及び相違するものと認められる。
　一致点．
　「取付板（２）と支持板（３）からなる基枠体（１）の内側に連結杆（６）が摺動可能に配設され、該支持板（３）の上部と下部に鉤部材（４）（５）が連結杆（６）に連結されて傾動可能に枢支され、該取付板（２）の中間部にシリンダ錠（７）がその錠軸を取付板（２）に設けた孔から内側に差込むように固定され、該錠軸の先端に錠軸側係合手段が固定され、前記連結杆（６）には該錠軸側係合手段と係合する係合手段が設けられ、前記基枠体（１）の取付板（２）がパチンコ機の前面枠（２１）に縦に取付けられ、本体枠（２０）側に取付けられた受け金具（２４）（２５）に前記鉤部材（４）（５）が係止されて前面枠（２１）を施錠するパチンコ機の施錠装置において、
　前記支持板（３）の上部に、ガラス枠施錠用の鉤部材（１４）が傾動可能に枢支され、該基枠体（１）には該支持板（３）に沿ってガラス枠施錠用の連結杆（１６）（１７）が摺動可能に配設され、鉤部材（１４）が該連結杆（１６）により連結され、該連結杆（１７）の前記錠軸側係合手段に対向した位置に係合手段が該錠軸側係合手段と係合可能に形成され、ガラス枠（２２）の一部に設けた係止ピン（２６）にガラス枠施錠用の該鉤部材（１４）が係止されてガラス枠（２２）が施錠され、前記シリンダ錠（７）を前面枠（２１）の解錠時と反対方向に回して該カム板（８）を同方向に回動させ、ガラス枠施錠用の鉤部材（１４）を傾動させてガラス枠（２２）を解錠するように構成したパチンコ機の施錠装置。」
　　　
　相違点Ａ．錠軸の先端に固定される錠軸側係合手段と、該錠軸側係合手段と係合する連結杆（６）（１７）側係合手段が、本件発明では、それぞれ、カム板（８）及びその係合部（８ａ）（８ｂ）と、前面枠施錠用の連結杆（６）及びガラス枠施錠用の連結杆（１７）に形成された開口部からなる構成であるのに対して、引用発明では、解除ピン４３を植設した回動板４２と、前面枠施錠用の連結杆（６）に固着された解除片３８及びガラス枠施錠用の連結杆（１７）に固着された解除片３９からなる構成である点。
　相違点Ｂ．ガラス枠用の施錠装置として、本件発明では、専用のガラス枠施錠用の鉤部材と連結杆とが支持板に配設される構成であるのに対して、引用発明では、ガラス枠と前パネルとを一体化した前面枠５が施錠されるように共用の鉤部材と連結杆とが支持板に配設される構成である点。
相違点Ｃ．ガラス枠施錠用の鉤部材と、ガラス枠施錠用の連結杆とが支持板に配設される構成において、本件発明では、ガラス枠施錠用の鉤部材（１４）（１５）が支持板（３）の外側にブラケット（１１）を介して枢支されるとともに、基枠体（１）の内側には該支持板（３）に沿ってガラス枠施錠用の連結杆（１６）（１７）が摺動可能に配設され、該連結杆（１６）（１７）は各々該支持板（３）の上部と下部に設けた開口部を通り、該各々の連結杆（１６）（１７）の一方の片は該支持板（３）の内側に沿い当該他方の片は該支持板（３）の外側に沿って配設される構成であるのに対して、引用発明では、ガラス枠と前パネルとを一体化した前面枠５が施錠されるようにした施錠装置であって、ガラス枠施錠用の鉤部材（１４）が支持板（３）の外側に枢支されるとともに、ガラス枠施錠用の連結杆（１６）（１７）が支持板（３）の外側に沿って摺動可能に配設される構成である点。
　　　　
　（２）相違点の検討
　i．相違点Ａについて 
　パチンコ機の施錠装置の技術分野において、錠軸側係合手段と、該錠軸側係合手段と係合する前面枠施錠用の連結杆側係合手段及びガラス枠施錠用のガラス枠用作動杆側係合手段とを、それぞれ、カム板及びその係合部と、前面枠施錠用の連結杆に形成された開口部及びガラス枠施錠用のガラス枠用作動杆に形成された開口部とで構成することは、周知技術（例えば、甲第２号証〔実公平４−３２１５０号公報〕、甲第３号証〔実願平２−８９０９０号（実開平４−４７４８４号）のマイクロフイルム〕）であるから、引用発明に示される前記係合構成に代えて、前記周知技術を採用して、前記相違点Ａに係る本件発明のように構成することは、当業者が容易に想到できるものである。
　　　　
　ii．相違点Ｂについて
　ガラス枠と前パネルとが分離独立して施錠されるように構成したパチンコ機の施錠装置は、周知の形態（例えば、実公昭６２−７３５４号公報、実公昭４９−２４３０３号公報、実公昭５１−６２３２号公報）であるから、引用発明に示される、ガラス枠と前パネルとを一体化した前面枠５について、これを前記周知の形態に倣って分離独立させる構成を採用して、前記相違点Ｂに係る本件発明のように構成することは、当業者の単なる設計的事項にすぎないものである。
　　　　
　iii．相違点Ｃについて
　本件発明は、ガラス枠施錠用の鉤部材（１４）（１５）及び連結杆（１６）（１７）を支持板（３）に配設する構成において、錠軸の先端に固定されたカム板（８）の係合部（８ｂ）と支持板（３）の内側で係合するように前記連結杆（１７）を該支持板（３）の内側に配設するとともに、ガラス枠施錠用の鉤部材（１４）がガラス枠と支持板（３）の外側でブラケット（１１）を介して係合するように該各々の連結杆（１６）（１７）を形成する片自体が該支持板（３）の上部と下部に設けた開口部を通り、該支持板（３）の内側から外側に抜けるように配設される構成を採用することにより、ガラス枠施錠用の鉤部材（１４）がガラス枠と支持板（３）の外側で係止する作用構成、及び、ガラス枠施錠用の連結杆（１６）（１７）がシリンダ錠（７）の先端に固定されたカム板（８）の係合部（８ｂ）と支持板（３）の内側で係合する作用構成において、ガラス枠施錠用の鉤部材及び連結杆をそれぞれ適正箇所に配置できるものであって、ガラス枠施錠用の鉤部材及び連結杆について、引用発明に示される如きガラス枠施錠用の鉤部材及び連結杆を支持板の外側に配設する構成や、甲第２号証に示される如きガラス枠施錠用のガラス枠用作動杆を鉤部材とは別個に支持板の内側に配設する前記周知技術からは導き出し得ない構成と作用効果のものである。
　したがって、本件発明は、前記相違点Ｃに係る、支持板に開口部を設けてガラス枠施錠用の連結杆及び鉤部材を該支持板の内外に配設する構成において、甲第１号証に記載された発明（引用発明）及び前記周知技術を含む甲第２乃至５号証に基づいて当業者が容易に発明をすることができたものということができない。
　　　
　（３）まとめ
　よって、本件発明は、前記相違点Ｃに係る構成において、甲第１号証乃至甲第５号証に記載の発明に基づいて当業者が容易に発明をすることができたものではないから、本件発明の特許は、特許法第２９条第２項の規定に違反してされたものではない。
　　　
第５．むすび
　以上のとおりであるから、本件発明の特許は、特許法第２９条第２項の規定に違反してされたものとはいえず、請求人の主張及び証拠方法によっては、無効とすることはできない。
　審判に関する費用については、特許法第１６９条第２項の規定で準用する民事訴訟法第６１条の規定により、請求人が負担すべきものとする。
　よって、結論のとおり審決する。